(57)【要約】      （修正有）【課題】救急装置の設置に必要とする時間を削減する手段を提供する。【解決手段】装置は、少なくとも１つのディスプレイを含む自動体外式除細動器２００を含む。装置は自動体外式除細動器を支持する支持機構２０４も含む。支持機構は、自動体外式除細動器と接続されたヒンジに接続されたスタンドを含む。ヒンジは、作動中の自動体外式除細動器を支持するための展開位置にスタンドを配置でき、また自動体外式除細動器を収納するための収納位置にスタンドを配置できる。【選択図】図２Ｃ
2015150446.tif 000002
【特許請求の範囲】
【請求項１】
少なくとも１つのディスプレイを含む自動体外式除細動器と、
前記自動体外式除細動器を支持する支持機構とを備える装置であって、
前記支持機構は、前記支持機構と接続されたヒンジと接続されたスタンドを含み、前記ヒンジは、作動中の前記自動体外式除細動器を支持するための展開位置に前記スタンドを配置でき、また前記自動体外式除細動器を収納するための収納位置に前記スタンドを配置できることを特徴とする装置。
【請求項２】
前記展開位置にあるとき、前記スタンドと前記自動体外式除細動器との間に第１角度が形成されることを特徴とする請求項１の装置。
【請求項３】
前記収納位置にあるとき、前記スタンドと前記自動体外式除細動器との間に第２角度が形成されることを特徴とする請求項２の装置。
【請求項４】
前記第１角度は、前記第２角度よりも大きいことを特徴とする請求項３の装置。
【請求項５】
前記ヒンジは、外力が前記スタンドに加えられないとき、前記スタンドを前記展開位置に配置することを特徴とする請求項１の装置。
【請求項６】
前記ヒンジは、外力が前記スタンドに加えられるとき、前記スタンドを前記収納位置に配置することを特徴とする請求項１の装置。
【請求項７】
前記スタンドは、収納コンテナの一部から、前記外力を受けるように構成されることを特徴とする請求項６の装置。
【請求項８】
前記ヒンジは、バネ式であり、外力が前記スタンドに加えられないとき、前記スタンドを前記展開位置に配置することを特徴とする請求項１の装置。
【請求項９】
前記ヒンジは、バネ式であり、外力が前記スタンドに加えられるとき、前記スタンドを展開位置に配置することを特徴とする請求項１の装置。
【請求項１０】
前記ヒンジは、バネ式であり、前記装置が前記装置の背面を下にして置かれるとき、前記スタンドを前記収納位置に配置することを特徴とする請求項１の装置。
【請求項１１】
少なくとも１つのディスプレイを含む自動体外式除細動器と、
前記自動体外式除細動器を支持するための支持機構とを備える装置であって、前記支持機構が、
作動中の前記自動体外式除細動器の支持をアシストできるスタンドと
前記自動体外式除細動器と前記スタンドとを接続するバネ式ヒンジと、
前記スタンドと前記自動体外式除細動器とを接続されるバネ式ヒンジとを備え、
前記バネ式ヒンジは、作動中の前記自動体外式除細動器を支持するための展開位置に前記スタンドを配置でき、また前記自動体外式除細動器を収納するための収納位置に前記スタンドを配置できるものであって、
前記バネ式ヒンジは、外力が前記スタンドに加えられないとき、前記展開位置に前記スタンドを配置することを特徴とする装置。
【請求項１２】
前記展開位置にあるとき、前記スタンドと前記自動体外式除細動器との間に第１角度が形成されることを特徴とする請求項１１の装置。
【請求項１３】
前記収納位置にあるとき、前記スタンドと前記自動体外式除細動器との間に第２角度が形成されることを特徴とする請求項１２の装置。
【請求項１４】
前記第１角度は、前記第２角度よりも大きいことを特徴とする請求項１３の装置。
【請求項１５】
前記装置が前記装置の背面を下にして置かれるとき、前記バネ式ヒンジは、前記スタンドを前記収納位置に配置することを特徴とする請求項１１の装置。
【発明の詳細な説明】
【技術分野】
【０００１】
本発明は、例えば自動体外式除細動器（ＡＥＤ）用のスタンドなど、概して持ち運びできる除細動器の支持機構に関する。
【背景技術】
【０００２】
例えば、突然の心停止や事故で生じた怪我などの健康問題によって、毎年、数千人が亡くなり永続的な障害がもたらされている。これらの問題のある被害者を蘇生するための素早く、有効な治療は、このような状況でよい結果を得るために不可欠である。例えば、急性心停止から生き残る可能性は、効果的な治療が１分遅れる毎に１０パーセント落ちこむと言われている。
【０００３】
心停止にかかっている患者のための蘇生治療は、患者の気道を確保し開放すること、患者に人工呼吸を施すこと、そして胸部圧迫して被害者の心臓と脳と他の生命の維持に必要な器官とに血流を送ることを概して含む。もし、患者がショックの効く心拍リズム（心室細動、又は心室頻拍）にあるなら、蘇生は、またＡＥＤを用いた除細動治療を含みうる。そのような行動に加えて、救助者が、患者の心臓が通常の又は通常に近い動作に戻ったときを判断し、また、心臓がショックの効く心拍リズムを示すときを判断できるように、その患者の心電図（ＥＣＧ）信号は電気的に捕捉され、表示され、監視されうる。心室細動（ＶＦ）にかかっている患者の半分は、ＶＦの転換成功後すぐに、ＶＦが再発するので、ＶＦの再転換が必要となりうる。蘇生の間にＶＦの再発を繰り返すに伴い患者の生存率は下がる。
【発明の概要】
【発明が解決しようとする課題】
【０００４】
心停止患者の生存率は、救急時に使用のためにＡＥＤを効率的に展開できるということによくかかっている。これらの状況で使用される他の種類の救急装置と同様に、救急装置の設置に必要とする時間を削減することは、患者の治療に成功をもたらす要因となりうる。ＡＥＤが最適でない環境下（例えば、過酷な領域や天気、ストレス状態など）で展開されると、救急隊員がＡＥＤを用いて患者を処置できたかもしれない貴重な時間がさらに失われることがある。
【課題を解決するための手段】
【０００５】
１つの側面では、装置は、少なくとも１つのディスプレイを含む自動体外式除細動器を含む。前記装置は、前記自動体外式除細動器を支持する支持機構も含む。前記支持機構は、前記自動体外式除細動器と接続されたヒンジに接続されたスタンドを含む。前記ヒンジは、作動中の前記自動体外式除細動器を支持するための展開位置に前記スタンドを配置でき、また前記自動体外式除細動器を収納するための収納位置に前記スタンドを配置できる。
【０００６】
直前の段落の前記装置において、前記展開位置にあるときに前記スタンドと前記自動体外式除細動器との間に第１角度が形成される。
直前の段落の前記装置において、前記収納位置にあるときに前記スタンドと前記自動体外式除細動器との間に第２角度が形成される。
【０００７】
直前の段落の前記装置において、前記第１角度は、前記第２角度よりも大きい。
一つの側面の前記装置において、前記ヒンジは、外力が前記スタンドに加えられないとき、前記スタンドを前記展開位置に配置する。
【０００８】
一つの側面の前記装置において、前記ヒンジは、外力が前記スタンドに加えられるとき、前記スタンドを前記収納位置に配置する。
直前の前記装置において、前記スタンドは、前記収納コンテナの一部から前記外力を受けるように構成される。
【０００９】
一つの側面の前記装置において、前記ヒンジは、バネ式であり、外力が前記スタンドに加えられないとき、前記スタンドを前記展開位置に配置する。
一つの側面の前記装置において、前記ヒンジは、バネ式であり、外力が前記スタンドに加えられるとき、前記スタンドを前記展開位置に配置する。
【００１０】
一つの側面の前記装置において、前記ヒンジは、バネ式であり、前記装置が前記装置の背面を下にして置かれるとき、前記スタンドを前記収納位置に配置する。
別の側面において、装置は、少なくとも１つのディスプレイを含む自動体外式除細動器を含む。前記装置は、前記自動体外式除細動器の支持をアシストできるスタンドを含む前記自動体外式除細動器の支持するための支持機構を含む。前記支持機構は前記スタンドと前記自動体外式除細動器とに接続されたバネ式ヒンジを含む。前記バネ式ヒンジは、作業中の前記自動体外式除細動器を支持するための展開位置に前記スタンドを配置でき、前記自動体外式除細動器を収納するための収納位置に前記スタンドを配置できる。前記バネ式ヒンジは、外力が前記スタンドに加えられないとき、前記スタンドを前記展開位置に配置する。
【００１１】
直前の段落の前記装置において、前記展開位置にあるときに前記スタンドと前記自動体外式除細動器との間に第１角度が形成される。
直前の段落の前記装置において、前記収納位置にあるときに前記スタンドと前記自動体外式除細動器との間に第２角度が形成される。
【００１２】
直前の段落の前記装置において、前記第１角度は、前記第２角度よりも大きい。
別の側面の前記装置において、前記装置が前記装置の背面を下にして置かれるとき、前記バネ式ヒンジは、前記スタンドを前記収納位置に配置する。
【００１３】
添付図面は、縮尺通りに描かれていることを意図しない。その図面において、複数の図に記されているそれぞれの同一、又は同一に近い部材は、同様の番号で表される。明確化の目的のため、全ての図面に全ての部材の部材番号を逐次付していないことがある。
【図面の簡単な説明】
【００１４】
【図１】アクセシブルなウォールキャビネット内に収納されるＡＥＤを示す図。
【図２Ａ】支持補助のために展開及び収納されるスタンドを有するＡＥＤを示す図。
【図２Ｂ】支持補助のために展開及び収納されるスタンドを有するＡＥＤを示す図。
【図２Ｃ】支持補助のために展開及び収納されるスタンドを有するＡＥＤを示す図。
【図２Ｄ】支持補助のために展開及び収納されるスタンドを有するＡＥＤを示す図。
【図３Ａ】ＡＥＤスタンドの展開位置と収納位置とを示す図。
【図３Ｂ】ＡＥＤスタンドの展開位置と収納位置とを示す図。
【図３Ｃ】ＡＥＤスタンドの展開位置と収納位置とを示す図。
【発明を実施するための形態】
【００１５】
図１は、アクセシブルなウォールキャビネット１０２内に設置されるＡＥＤ１００を示す。ＡＥＤ１００は、アクセシブルなウォールキャビネット１０２内に設置されることができるどんな製造業者からのどんな種類の自動体外式除細動器でもよい。例えば、ＡＥＤ１００は、マサチューセッツ州のチェルムスフォードのゾールメディカルコーポレイションによって製造されるＡＥＤ  ＰｌｕｓＩＩ（登録商標）、ＡＥＤ  Ｐｌｕｓ（登録商標）、又はＡＥＤ  Ｐｒｏ（登録商標）でもよい。ウォールキャビネット１０２内のＡＥＤ１００を含む容積は、一般的には角箱の形状をなすものとして考えられることができるが、他の収納容積の形状が採用されてもよい。この例において、ＡＥＤ１００の本体形状は、概してキャビネットの内部形状と一致している。そのような一致形状はコンテナに挿入されやすいが、ＡＥＤ１００のこの形状は、使用のための取り外し時に不便なことがある。例えば、救急状況でウォールキャビネット１０２から取り外され、展開されると（例えば、床上において被害者の隣にＡＥＤが設置されると）、この装置は長さ及び幅（水平方向において）よりも背の高い（垂直方向において）ことから、ＡＥＤ１００は転倒するかもしれない。ＡＥＤ１００が収納されるとき、ウォールキャビネット１０２の側壁はＡＥＤ１００を直立に維持することを補助するが、キャビネットから外部に展開するとき、側壁はもはやＡＥＤを直立に維持するのに役立たなくなる。もしＡＥＤ１００が最適でない条件（例えば、ざらざら表面、つるつるした表面、過酷な天候など）で展開する必要があるときに、そのような安定性の問題は悪化することがある。さらに、救急状況で患者が処置されているときにＡＥＤが最適な姿勢で維持できないなら、ＡＥＤ１００（例えば１つ、又は複数の組み込まれたディスプレイ）による情報の提示は妨げられるかもしれない。
【００１６】
図２Ａ〜２Ｃは、ＡＥＤの展開位置の維持をアシストするためにＡＥＤに組み付けられた支持機構を示している。図２Ａに図示されているように、ＡＥＤ２００は、ウォールコンテナ又は他の種類のコンテナ（例えば、発送用ボックス、貯蔵用コンテナ）に収納されている状態から取り外され、面２０２上に実質的に真っすぐに立っている。この例において、そのＡＥＤは、支持機構によって設けられる傾きにより、垂直からそれて設置される（例えば５°、１０°、２０°等）。導入された傾きは、ＡＥＤの姿勢の安定性を改善することに加え、救急隊員がＡＥＤ２００に表示される情報を見ることをアシストできる。
【００１７】
ＡＥＤ２００の直立姿勢の安定性を改善するために、１又は複数の技術が、支持機構に採用されてもよい。図２Ｂを参照すると、支持機構２０４は、ＡＥＤ２００の背下部に組み付けられている。この例において、支持機構２０４は、ＡＥＤ２００と接続されており、ＡＥＤ２００が載置されている面２０２の一部と係合している。ＡＥＤ２００の支持をアシストすることに加えて、支持機構２０４は、複数の位置（例えば、展開位置、及び収納位置）に達するために移動可能である。この機能を有することで、支持機構２０４は、ＡＥＤ２００がコンテナ（例えば、ウォールコンテナ１０２）の収納容積の形状と一致できるように収納位置に配置されるとともに、展開されたときにＡＥＤ２００を安定化させるのに役立つ位置に配置されることができる。支持機構２０４は、他の状況に基づいた収納位置に配置されてもよい。例えば、背面を下にして倒すとき（例えば、ＡＥＤ２００のディスプレイが見る人に対して上向きに置かれたとき）、ＡＥＤの重量は、支持機構２０４を引っ込め、収納位置に配置させる力を発生する。
【００１８】
支持機構２０４は、これらの機能を行う１又は複数の部材を含みうる。例えば、さまざまな種類の面と係合するために１又は複数のスタンドがＡＥＤ２００と接続されてもよい。さらに、支持機構（又は含まれる部材）の形状、形態等は、このような機能を備えるために構成されてもよい。例えば、支持部材は、ＡＥＤの姿勢を安定させるために伸長し、コンテナ容積に一致するように収縮するテレスコピック部分を含むことができる。
【００１９】
ＡＥＤ２００に対して支持機構２０４を固定するための１又は複数の接続技術を利用してもよい。例えば、ＡＥＤ２００に接続するための１又は複数のヒンジを支持機構に含めてもよい。
【００２０】
いくつかの構成において、支持機構は、支持機構によって受ける１又は複数の力により１つの位置に配置されることができる。例えば、支持機構は、通常１つの位置（例えば、展開位置）に保持され、そして支持機構を別の位置（例えば、収納位置）に移すには、別途の力が必要とされる。支持機構２０４は、展開位置に保持されることが自然であるならば、別の位置に保持する力が解放されると支持機構２０４は自動的にこの位置に戻るように構成されてもよい。例えば、コンテナ（例えばウォールキャビネット１０２）の内部形状によりコンテナの側壁は力を蓄えてＡＥＤの支持機構を収納位置に保持してもよい。コンテナからＡＥＤを取り外すと、側壁により発生する力は解放され、支持機構は、元々の位置（例えば、展開位置）に戻される。そのような力は、ＡＥＤ自身によって発生されてもよい。例えば、図２Ｃに示すように、背面を下にした状態で置かれると、ＡＥＤ２００の重量は支持機構２０４を引っ込ませる力を生成し、支持機構を収納位置に配置させる。（例えば、直立に置くために）背面が離れるようにＡＥＤを持ち上げると、支持機構は、その展開位置に戻るだろう。力が支持機構を他の位置（例えば、収納位置）に配置するために付与されるまで、支持機構を１つの位置（例えば、展開位置）に保持するために１又は複数種類の技術を用いてもよい。例えば、支持機構を１つの位置（例えば、展開位置）に保持するための力を発生する１又は複数のバネが支持機構（例えば、バネ式ヒンジ）に含まれてもよい。１又は複数のバネの使用と同様に、他の力付与機構を採用してもよい。
【００２１】
１つの実施可能な構成として、図２Ｄは、支持機構２０４に含まれる機械製のスタンド２０６を示し、その機械製のスタンド２０６は、ＡＥＤ２００の支持をアシストして直立姿勢を維持する。この例において、スタンド２０６は、ＡＥＤ２００の下背面から延出して、所定の角度を面２０２とＡＥＤ２００との間に形成する。いくつかの構成において、この角度は、使用者によって調節可能であってもよく、又はバネ（例えば、異なる種類の面や地形等に）によって自己調節されてもよい。あるいは、この角度は、いくつかの種類のＡＥＤについてメーカーによって固定されてもよい。
【００２２】
図３Ａ〜３Ｃを参照すると、支持機構の角度範囲を示すために正面を下にした状態で置かれるＡＥＤ２００についての一連の図面が示されている。図３Ａは、正面を下向きに倒した状態で面に置かれるＡＥＤ２００の側面図である。図２Ｃと同様に、支持機構はスタンド２０６を含むが、複数のスタンド、又は異なる種類の支持部材が支持機構に含まれて利用されてもよい。図３Ａにおいて、スタンド２０６は展開位置にあり、スタンドとＡＥＤ２００との間に角度が形成されている。この例において、ＡＥＤ２００から外部に力が加えられないとき、展開位置にスタンド２０６を配置し、また保持するために１つのバネがヒンジと協同して使われる（例えば、バネ式ヒンジ）。
【００２３】
図３Ｂにおいて、ＡＥＤ２００の図面は、９０°回転され（他の回転斜視図を提供するために）、外力をスタンド２０６の端部に加えスタンドを他の位置に配置させる指３００を示している。図示されているように、スタンド２０６は、下方に移動され、収納位置に配置されている。概して、スタンド２０６とＡＥＤ２００との間の角度は、力の印加により、低減されるかまたは除去（例えば、角度が、０°に低減）されることさえある。コンテナ（例えば、ウォールコンテナ１０２）の内部側壁は同様の力をスタンド２０６に加えることができ、スタンドとＡＥＤ２００との間の角度を低減して、収納されたＡＥＤがコンテナの内部容積の形状とより一層一致する。同様に、簡単に図２Ｃを参照すると、背面を下にした状態で置かれると、ＡＥＤ２００の重さは、前記角度を小さくするかまたは除去する力を生成し、スタンド２０６を収納位置に配置（格納）させる。
【００２４】
外力が除かれると、すぐにバネ式ヒンジ（スタンド２０６とＡＥＤ２００とを接続する）に溜められたエネルギーがスタンドとＡＥＤとの間の角度を大きくすることによって、スタンドを展開位置に戻す。図３Ｃに図示されるように、指３００によって加えられた力は除かれ、スタンド２０６は展開位置に戻り、スタンドとＡＥＤ２００との間の角度は、所定値に戻る。そのため、ＡＥＤ２００がコンテナ（例えば、ウォールコンテナ１０２）から取り外されると、側壁により加えられた力はなくなり、スタンド２０６が比較的素早く展開位置に移動する。そのため、救急専門家はＡＥＤ２００をコンテナから取り外すことができ、様々な種類の面に、直立で安定した姿勢でその装置を設置できる。さらに、バネ式ヒンジによって許容される角度変更量に基づけば、救急専門家が過剰に注意することなしで、スタンド２０６とＡＥＤ２００の別の部分との間の角度を、様々な種類の面に合わせて調節できる。
【００２５】
いくつかの構成において、支持機構は、他の機能を備えることができる。例えば、ＡＥＤは、支持機構の配置に応じて動作してもよい。例えば、支持機構が適切に配置（例えば、展開、収納等）されていないと、ＡＥＤは作動しない（例えば、電源がつかない）。
【００２６】
所望されれば、ここで説明されている機能は、互いに異なる順番で及び／又は同時に行ってもよい。さらに、所望されれば、１又は複数の上述した機能は、選択されてよいし、又は組み合わせてもよい。
【００２７】
本発明のさまざまな側面は、独立項に記載されるが、本発明の他の側面は、独立項の特徴と説明された実施形態／又は従属項からの特徴との組み合わせを含んでおり、請求の範囲に明示的に記載した組合せだけではない。
【００２８】
上記では本発明の例示的実施形態を説明したが、それらの説明は限定的な意味で捉えるべきではない。むしろ、添付した特許請求の範囲で規定されるような本発明の範囲から逸脱せずに実施されるいくつかの種類や修正がありうる。
【図１】
2015150446.tif 000003
【図２Ａ】
2015150446.tif 000004
【図２Ｂ】
2015150446.tif 000005
【図２Ｃ】
2015150446.tif 000006
【図２Ｄ】
2015150446.tif 000007
【図３Ａ】
2015150446.tif 000008
【図３Ｂ】
2015150446.tif 000009
【図３Ｃ】
2015150446.tif 000010
【手続補正書】
【提出日】平成27年3月19日(2015.3.19)
【手続補正１】
【補正対象書類名】図面
【補正対象項目名】全図
【補正方法】変更
【補正の内容】
【図１】
2015150446.tif 000011
【図２Ａ】
2015150446.tif 000012
【図２Ｂ】
2015150446.tif 000013
【図２Ｃ】
2015150446.tif 000014
【図２Ｄ】
2015150446.tif 000015
【図３Ａ】
2015150446.tif 000016
【図３Ｂ】
2015150446.tif 000017
【図３Ｃ】
2015150446.tif 000018
【外国語明細書】
2015150446000001.pdf